(57)【要約】【課題】  スポーツをテーマにデザインされた使用者専用のアイスボックスを提供する【解決手段】  当該主容器に回転自在に取り付けられて選択的に開閉可能な蓋部材を有するアイスボックス主容器を有し、前記アイスボックス主容器と前記選択的に開閉可能な蓋部材とは、使用者専用のスポーツ関連形状に形成されており、前記アイスボックス主容器は、下部に回転自在に取り付けられてアイスボックスを使用者が移動させることができるようにする車輪と、前記アイスボックス主容器に装着された伸縮式引出ハンドル機構と、使用者専用のロゴやエンブレムを取り付けるための一つ以上の所定面域とを有する【選択図】図１
2013506813.tif 000002
【特許請求の範囲】
【請求項１】
アイスボックス主容器に回転自在に取り付けられて選択的に開閉可能な蓋体を有するアイスボックス主容器と、
前記アイスボックス主容器と前記選択的に開閉可能な蓋体とは使用者専用のスポーツ関連形状に形成されており、
前記アイスボックス主容器の下部に回転自在に取り付けられて使用者によりアイスボックスを移動させることができるようにする車輪と、
前記アイスボックス主容器に装着された伸縮式引出ハンドル機構と、
ロゴやエンブレムを載置するための一つ以上の所定面域と、
を有するスポーツをテーマにデザインされた使用者専用アイスボックス。
【請求項２】
前記アイスボックス主容器及び前記選択的に開閉可能な蓋体は再生可能資源で作製され、前記アイスボックス主容器の底には排水口が設けられている、請求項１に記載のスポーツをテーマにデザインされた使用者専用アイスボックス。
【請求項３】
前記選択的に開閉可能な蓋体の下面には一つ以上のスピーカが設けられている、請求項１に記載のスポーツをテーマにデザインされた使用者専用アイスボックス。
【請求項４】
前記選択的に開閉可能な蓋体の下面には一つ以上のスピーカが設けられている、請求項２に記載のスポーツをテーマにデザインされた使用者専用アイスボックス。
【請求項５】
前記選択的に開閉可能な蓋体の下面に設けられたデジタルレコーダを有する、請求項１に記載のスポーツをテーマにデザインされた使用者専用アイスボックス。
【請求項６】
前記選択的に開閉可能な蓋体の下面に設けられたデジタルレコーダを有する、請求項２に記載のスポーツをテーマにデザインされた使用者専用アイスボックス。
【請求項７】
前記選択的に開閉可能な蓋体の下面に設けられたデジタルレコーダを有する、請求項３に記載のスポーツをテーマにデザインされた使用者専用アイスボックス。
【請求項８】
前記選択的に開閉可能な蓋体の下面に設けられたデジタルレコーダを有する、請求項４に記載のスポーツをテーマにデザインされた使用者専用アイスボックス。
【請求項９】
前記デジタルレコーダは、予め記録されたメッセージや、前記スポーツをテーマにデザインされた使用者専用アイスボックスの使用者が追加メッセージを前記デジタルレコーダに記録することができる機能を備えている、請求項５に記載のスポーツをテーマにデザインされた使用者専用アイスボックス。
【請求項１０】
前記デジタルレコーダは、予め記録されたメッセージや、前記スポーツをテーマにデザインされた使用者専用アイスボックスの使用者が追加メッセージを前記デジタルレコーダに記録することができる機能を備えている、請求項６に記載のスポーツをテーマにデザインされた使用者専用アイスボックス。
【請求項１１】
前記デジタルレコーダは、予め記録されたメッセージや、前記スポーツをテーマにデザインされた使用者専用アイスボックスの使用者が追加メッセージを前記デジタルレコーダに記録することができる機能を備えている、請求項７に記載のスポーツをテーマにデザインされた使用者専用アイスボックス。
【請求項１２】
前記デジタルレコーダは、予め記録されたメッセージや、前記スポーツをテーマにデザインされた使用者専用アイスボックスの使用者が追加メッセージを前記デジタルレコーダに記録することができる機能を備えている、請求項８に記載のスポーツをテーマにデザインされた使用者専用アイスボックス。
【請求項１３】
前記アイスボックス主容器、前記選択的に開閉可能な蓋体、前記車輪、及び前記ハンドル機構は、コーンシュガー、又はサトウキビやモロコシ茎の搾汁後の残滓である再生可能資源で作製される、請求項２に記載のスポーツをテーマにデザインされた使用者専用アイスボックス。
【請求項１４】
前記アイスボックス主容器、前記選択的に開閉可能な蓋体、前記車輪、及び前記ハンドル機構は、コーンシュガー、又はサトウキビやモロコシ茎の搾汁後の残滓である再生可能資源で作製される、請求項４に記載のスポーツをテーマにデザインされた使用者専用アイスボックス。
【請求項１５】
前記アイスボックス主容器、前記選択的に開閉可能な蓋体、前記車輪、及び前記ハンドル機構は、コーンシュガー、又はサトウキビやモロコシ茎の搾汁後の残滓である再生可能資源で作製される、請求項５に記載のスポーツをテーマにデザインされた使用者専用アイスボックス。
【請求項１６】
前記アイスボックス主容器、前記選択的に開閉可能な蓋体、前記車輪、及び前記ハンドル機構は、コーンシュガー、又はサトウキビやモロコシ茎の搾汁後の残滓である再生可能資源で作製される、請求項６に記載のスポーツをテーマにデザインされた使用者専用アイスボックス。
【請求項１７】
前記アイスボックス主容器、前記選択的に開閉可能な蓋体、前記車輪、及び前記ハンドル機構は、コーンシュガー、又はサトウキビやモロコシ茎の搾汁後の残滓である再生可能資源で作製される、請求項７に記載のスポーツをテーマにデザインされた使用者専用アイスボックス。
【請求項１８】
前記アイスボックス主容器、前記選択的に開閉可能な蓋体、前記車輪、及び前記ハンドル機構は、コーンシュガー、又はサトウキビやモロコシ茎の搾汁後の残滓である再生可能資源で作製される、請求項８に記載のスポーツをテーマにデザインされた使用者専用アイスボックス。
【請求項１９】
前記アイスボックス主容器、前記選択的に開閉可能な蓋体、前記車輪、及び前記ハンドル機構は、コーンシュガー、又はサトウキビやモロコシ茎の搾汁後の残滓である再生可能資源で作製される、請求項１０に記載のスポーツをテーマにデザインされた使用者専用アイスボックス。
【請求項２０】
前記アイスボックス主容器、前記選択的に開閉可能な蓋体、前記車輪、及び前記ハンドル機構は、コーンシュガー、又はサトウキビやモロコシ茎の搾汁後の残滓である再生可能資源で作製される、請求項１２に記載のスポーツをテーマにデザインされた使用者専用アイスボックス。
【発明の詳細な説明】
【技術分野】
【０００１】
本発明はスポーツをテーマにデザインされた使用者専用アイスボックス及びその製造並びに利用方法に関する。
【０００２】
より詳しくは、本発明は再生可能資源を利用して造られるスポーツをテーマにデザインされた使用者専用アイスボックス及びその製造並びに利用方法に関する。
【０００３】
本発明に係る品は、従来のアイスボックスに対する不満を解消する待望の品であり、同時に非常に便利でユニークな、スポーツをテーマにデザインされた使用者専用アイスボックスである。
【背景技術】
【０００４】
本明細書で使用される「スポーツ関連形状」との表現は、フットボール、サッカーボール、野球ボール、ゴルフボール、カーレースドライバーのヘルメット、積み上げられたタイヤ、及びフットボール用ヘルメットを非限定的に含む様々なスポーツ関連形状のいずれか一つを意味する。
【０００５】
本明細書で使用される「再生可能資源」との表現は、コーンシュガー、又はサトウキビやモロコシ茎の搾汁後の残滓を非限定的に含むいずれかの再生可能資源を意味する。
【発明の概要】
【発明が解決しようとする課題】
【０００６】
本発明は、スポーツをテーマにデザインされた使用者専用のアイスボックスを提供することを主たる目的とする。
【０００７】
本発明の別の目的は、再生可能資源を利用して造られるスポーツをテーマにデザインされた新しくて珍しい使用者専用のアイスボックス及びその製作並びに利用方法を提供することにある。
【０００８】
本発明の更なる目的は、蓋部分の内部にミニ・レコーダを有する上記アイスボックスを提供することにある。
【０００９】
本発明の更なる目的は、アイスボックスの蓋に組込まれたスピーカを有する上記アイスボックスを提供することにある。
【００１０】
本発明のまた更なる目的は、アイスボックス主容器に連結された伸縮式引出ハンドル機構と、使用者専用のロゴやエンブレムを載置するためのアイスボックス主容器上の一つ以上の所定面域とを有する上記アイスボックスを提供することにある。
【００１１】
本発明の他の目的、利点及び特徴は、この特定の技術分野における熟達した技術者と、それ以外の本特許出願に接して添付図面を参照して読み取った者にとっては明らかとなるであろう。
【課題を解決するための手段】
【００１２】
本発明は、アイスボックス主容器に回転自在に取り付けられた選択的に開閉可能な蓋体を有するアイスボックス主容器を有し、前記アイスボックス主容器と前記選択的に開閉可能な蓋体とは使用者専用のスポーツ関連形状に形成されており、前記アイスボックス主容器は、下部に回転自在に取り付けられて使用者によりアイスボックスを移動させることができるようにする車輪と、該アイスボックス主容器に連結された伸縮式引出ハンドル機構と、使用者専用のロゴやエンブレムを載置するための一つ以上の所定面域とを有する、スポーツをテーマにデザインされた使用者専用アイスボックスを提供する。
【図面の簡単な説明】
【００１３】
【図１】本発明の第１実施例に係るアイスボックスの斜視図である。
【図２】図１に示された装置の平面図である。
【図３】蓋の下面を示す図である。
【図４】図１の装置の正面図である。
【図５】ハンドルを完全に収縮させた装置の縦断面図である。
【図６】図１の装置の背面図である。
【図７】蓋を部分的に開放した装置の側面図である。
【図８】本発明の第２実施例に係るアイスボックスの斜視図である。
【図９】図８の装置の平面図である。
【図１０】図８の装置の底面図である。
【図１１】図８の装置の正面図である。
【図１２】図８の装置の右側面図である。
【図１３】図８の装置の背面図である。
【図１４】図８の装置の左側面図である。
【発明を実施するための形態】
【００１４】
図１乃至図７には、本発明の第１実施例に係るスポーツをテーマにデザインされた使用者専用アイスボックス１０が示されている。
【００１５】
このアイスボックス１０は、当該主容器に回転自在に取り付けられて選択的に開閉可能な蓋体１２を有するアイスボックス主容器１１を有する。このアイスボックス主容器１１と選択的に開閉可能な蓋体１２とは、使用者専用のスポーツ関連形状に形成されており、この実施例では、オートレーシングスポーツに興味がある使用者向けに積み重ねたタイヤ２１，２２の形状に形成されている。
【００１６】
アイスボックス主容器１１の下部に回転自在に取り付けられた車輪１３，１４は、スポーツをテーマにデザインされた使用者専用アイスボックス１０を使用者が移動させることができるようにする。アイスボックス主容器１１には伸縮式引出ハンドル機構１５が装着されている。また、使用者専用のロゴやエンブレム（不図示）を載置するための一つ以上の所定面域１６，２９が設けられている。
【００１７】
このスポーツをテーマにデザインされた使用者専用アイスボックス１０の製作には、商業的に利用可能な標準的アイスボックス材料を使用することができる。これに代えて、アイスボックス主容器１１、選択的に開閉可能な蓋体１２、車輪１３，１４、ハンドル１５、断熱材、その他の構成物、を再生可能資源で作製するとよい。
【００１８】
より詳しくは、アイスボックス主容器１１と選択的に開閉可能な蓋体１２を、例えば、コーンシュガー、又はサトウキビやモロコシ茎の搾汁後の残滓のような再生可能資源で作製するとよい。
【００１９】
アイスボックス主容器１１の底には排水口１７が設けられている。選択的に開閉可能な蓋体１２の下面にはデジタルレコーダ１８を設けることができる。このデジタルレコーダ１８には、予め記録しておいたメッセージや、このスポーツをテーマにデザインされた使用者専用アイスボックス１０の使用者が追加メッセージをデジタルレコーダ１８に記録することができる機能を設けることができる。
【００２０】
また、選択的に開閉可能な蓋体１２の下面には一つ以上のスピーカ１９，２０を設けることもできる。
【００２１】
図８乃至図１４には、本発明の第２実施例に係るスポーツをテーマにデザインされた使用者専用アイスボックス３０が示されている。
【００２２】
このアイスボックス３０は、当該主容器に回転自在に取り付けられた選択的に開閉可能な蓋体３２を有するアイスボックス主容器３１を有する。このアイスボックス主容器３１と選択的に開閉可能な蓋体３２とは、使用者専用のスポーツ関連形状に形成されており、この実施例では、フットボールの形状に形成されている。
【００２３】
アイスボックス主容器３１の下部に回転自在に取り付けられた車輪３３，３４は、使用者がスポーツをテーマにデザインされた使用者専用アイスボックス３０を移動させることができるようにする。アイスボックス主容器３１には伸縮式引出ハンドル機構３５が装着されている。また、使用者が好きなフットボールチームのロゴ等使用者専用のロゴやエンブレム（不図示）を載置するための一つ以上の所定面域３６，３９が設けられている。
【００２４】
このスポーツをテーマにデザインされた使用者専用アイスボックス３０の製作には、商業的に利用可能な標準的アイスボックス材料を使用することができる。これに代えて、アイスボックス主容器３１、及び選択的に開閉可能な蓋体３２等を再生可能資源で作製するとよい。
【００２５】
より詳しくは、アイスボックス主容器３１、選択的に開閉可能な蓋体３２、車輪３３，３４、ハンドル３５、断熱材、その他の構成物は、例えば、コーンシュガー、又はサトウキビやモロコシ茎の搾汁後の残滓のような再生可能資源で作製するとよい。
【００２６】
アイスボックス主容器３１の底には排水口３７が設けられている。選択的に開閉可能な蓋体３２の下面にはデジタルレコーダ（図８〜１４では不図示、但し図３に示されたデジタルレコーダ１８に類似のレコーダ）を設けることができる。このデジタルレコーダには、予め記録しておいたメッセージや、このスポーツをテーマにデザインされた使用者専用アイスボックス３０の使用者が追加メッセージをそのデジタルレコーダに記録することができる機能を設けることができる。
【００２７】
また、選択的に開閉可能な蓋体３２の下面には一つ以上のスピーカ（図８〜１４では不図示、但し図３に示されたスピーカ１９，２０に類似のスピーカ）を設けることもできる。
【００２８】
添付図面及び上記説明では、本発明の唯２つの珍しく新しい実施例について説明したが、本発明は多くの様々な実施形態、構成、素材、構成物の配置、寸法及び形状で実用化し、構成することができる。
【００２９】
この特定の技術分野の熟達した技術者とそれ以外の本特許明細書及び添付図面に接した者にとっては、本発明についての多くの変更、修正、改変、用途変更、及び応用が明らかになるはずである。
【００３０】
如何なるそして全てのそのような変更、修正、改変、用途変更、及び応用も本発明の精神と範囲から外れるものではなく、従ってそれらはここに示された本発明及び特許請求の範囲によりカバーされ、かつ当該範囲に包含されるものである。
【符号の説明】
【００３１】
１０, ３０  アイスボックス
１１, ３１  アイスボックス主容器
１２，３２  蓋体
１３，１４／３３，３４  車輪
１５，３５  ハンドル機構
１６、１９／３６，３９  所定面域
【図１】
2013506813.tif 000003
【図２】
2013506813.tif 000004
【図３】
2013506813.tif 000005
【図４】
2013506813.tif 000006
【図５】
2013506813.tif 000007
【図６】
2013506813.tif 000008
【図７】
2013506813.tif 000009
【図８】
2013506813.tif 000010
【図９】
2013506813.tif 000011
【図１０】
2013506813.tif 000012
【図１１】
2013506813.tif 000013
【図１２】
2013506813.tif 000014
【図１３】
2013506813.tif 000015
【図１４】
2013506813.tif 000016
【国際調査報告】
2013506813.tif 000017
2013506813.tif 000018